(57)【要約】【課題】疑券についての取り扱いを多様化し、あるいは、収納庫の容量不足の解消、疑券についての真偽判別についての労力軽減を図る。【解決手段】紙葉類取扱装置であって、紙葉類を入出金するための入出金口２２０と、前記入出金口に投入された紙葉類の真偽を判別する紙幣判別部２３０と、前記紙葉類が真券の場合に、前記真券を一時収納する第１の収納庫２６０と、前記第１の収納庫と異なる収納庫であって、前記紙葉類が偽券の場合に、前記偽券を収納する第２の収納庫２４０と、前記第１の収納庫及び前記第２の収納庫と異なる収納庫であって、前記紙葉類が真券か偽券か疑わしい疑券の場合に、前記疑券を収納する第３の収納庫２５０と、利用者からの返金指示を検知した場合に前記第１の収納庫内の真券と前記第３の収納庫内の疑券を前記入出金口に搬送する搬送手段２７０、２７２とを備える。【選択図】図３
2008299389.tif 000002
【特許請求の範囲】
【請求項１】
紙葉類取扱装置であって、
紙葉類を入出金するための入出金口と、
前記入出金口に投入された紙葉類の真偽を判別する紙幣判別部と、
前記紙葉類が真券の場合に、前記真券を一時収納する第１の収納庫と、
前記第１の収納庫と異なる収納庫であって、前記紙葉類が偽券の場合に、前記偽券を収納する第２の収納庫と、
前記第１の収納庫及び前記第２の収納庫と異なる収納庫であって、前記紙葉類が真券か偽券か疑わしい疑券の場合に、前記疑券を収納する第３の収納庫と、
利用者からの返金指示を検知した場合に前記第１の収納庫内の真券と前記第３の収納庫内の疑券を前記入出金口に搬送する搬送手段と、
を備える、紙葉類取扱装置。
【請求項２】
請求項１に記載の紙葉類取扱装置において、さらに、
金庫と、
前記金庫内に配置され、出金に供される紙葉類を収納するリサイクル庫と出金に供されない紙葉類を収納するリジェクト庫とを有する第４の収納庫と、
を備え、
利用者からの入金指示を検知した場合に、前記搬送手段は前記第１の収納庫内の真券を前記第４の収納庫に搬送する、紙葉類取扱装置。
【請求項３】
請求項２に記載の紙葉類取扱装置において、
利用者からの入金指示を検知した場合に、前記搬送手段は前記第３の収納庫内の疑券を前記リジェクト庫に搬送する、紙葉類取扱装置。
【請求項４】
請求項２または請求項３に記載の紙葉類取扱装置において、
利用者からの返金指示を検知しても、前記搬送手段は第３の収納庫に収納された疑券については前記入出金口に搬送せずに前記リジェクト庫に搬送する、紙葉類取扱装置。
【請求項５】
請求項２に記載の紙葉類取扱装置において、さらに、
前記金庫内に、疑券を収納する第５の収納庫を備え、
利用者からの入金指示を検知した場合に、前記搬送手段は第３の収納庫内の疑券を前記第５の収納庫に搬送する、紙葉類取扱装置。
【請求項６】
請求項５に記載の紙葉類取扱装置において、
利用者からの返金指示を検知しても、前記搬送手段は前記第３の収納庫に収納された疑券について前記入出金口に搬送せずに前記第５の収納庫に搬送する、紙葉類取扱装置。
【請求項７】
請求項１から請求項６のいずれかに記載の紙葉類取扱装置において、さらに
前記金庫内に、前記第２の収納庫に収納された偽券を収納する偽券収納庫を備える、紙葉類取扱装置。
【請求項８】
請求項１または請求項２に記載の紙葉類取扱装置において、
前記第２の収納庫または前記第３の収納庫のうち少なくとも一方は、前記紙葉類取扱装置から取り外し可能に前記紙葉類取扱装置に取り付けられている、紙葉類取扱装置。
【請求項９】
紙葉類取扱装置の制御方法であって、
入出金口に投入された紙葉類を判別し、
前記紙葉類が真券の場合には、第１の収納庫に一時収納し、
前記紙葉類が偽券の場合には、前記第１の収納庫とは異なる第２の収納庫に収納し、
前記紙葉類が真券か偽券か疑わしい疑券の場合には、前記第１の収納庫及び前記第２の収納庫とは異なる第３の収納庫に搬送し、
返金指示を受けた場合には、前記第１の収納庫に収納された真券および前記第３の収納庫に収納された疑券を前記入出金口に搬送する、紙葉類取扱装置の制御方法。
【発明の詳細な説明】
【技術分野】
【０００１】
本発明は紙葉類の入出金を行う紙葉類取扱装置に関する。
【背景技術】
【０００２】
従来、現金自動預け払い機は、入金された紙幣について、真券以外については受け入れず、全て返金していた。これに対し、真券か偽券か疑わしい疑券および偽券を真券と区別して取り扱うことを法律で義務づけ、偽券についてはエンドユーザーに返却することを禁止している国がある。これに対応するために、入金された紙幣の真偽を鑑別し、入金された紙幣を真券と、偽券と、真券か偽券か明確に判別できず真偽が疑わしい疑券とに分けて一時収納庫に収納し、偽券と疑券については、返金しない技術が知られている（特許文献１）。
【０００３】
【特許文献１】特開２００５−４４８６号公報
【発明の開示】
【発明が解決しようとする課題】
【０００４】
しかしながら、真券であっても流通による劣化のため疑券と判断されることがあり、疑券の発生頻度は高い。従来技術では、偽券と疑券については、返金せずに収納庫に収納していたため、疑券の発生頻度が高いと、収納庫の容量が不足する恐れがあった。また、鑑定において、人が疑券を偽券と鑑定するには真券と異なる点を１カ所見つければ偽券と判断できるが、疑券を真券と鑑定するには紙幣全体にわたり、真券との差異が流通による劣化あるいは測定誤差によるものであることを確認する必要があり時間がかかる。したがって、真券から流通による劣化により生じた疑券が多数あると、鑑定のための労力は大変なものとなる。
【０００５】
本発明は上記課題の少なくとも１つを解決し、疑券についての取り扱いを多様化し、あるいは、収納庫の容量不足の解消、疑券についての真偽判別についての労力軽減を図ることを目的とする。
【課題を解決するための手段】
【０００６】
上記課題の少なくとも一部を解決するために、本発明は以下の構成を備える。
【０００７】
本発明の第１の態様は、紙葉類取扱装置であって、紙葉類を入出金するための入出金口と、前記入出金口に投入された紙葉類の真偽を判別する紙幣判別部と、前記紙葉類が真券の場合に、前記真券を一時収納する第１の収納庫と、前記第１の収納庫と異なる収納庫であって、前記紙葉類が偽券の場合に、前記偽券を収納する第２の収納庫と、前記第１の収納庫及び前記第２の収納庫と異なる収納庫であって、前記紙葉類が真券か偽券か疑わしい疑券の場合に、前記疑券を収納する第３の収納庫と、利用者からの返金指示を検知した場合に前記第１の収納庫内の真券と前記第３の収納庫内の疑券を前記入出金口に搬送する搬送手段とを備える。この態様によれば、疑券についての取り扱いを多様化できる。その結果、入金されない疑券を返すことが可能となり、収納庫の容量不足の解消、疑券についての真偽判別についての労力軽減を図ることができる。
【０００８】
本発明の第１の態様に係る紙葉類取扱装置において、さらに、金庫と、前記金庫内に配置され、出金に供される紙葉類を収納するリサイクル庫と出金に供されない紙葉類を収納するリジェクト庫とを有する第４の収納庫とを備え、利用者からの入金指示を検知した場合に、前記搬送手段は前記第１の収納庫内の真券を前記第４の収納庫に搬送する。この態様によれば、入金された真券は金庫内に搬送されるので、防犯性が高まる。
【０００９】
本発明の第１の態様に係る紙葉類取扱装置において、利用者からの入金指示を検知した場合に、前記搬送手段は前記第３の収納庫内の疑券を前記リジェクト庫に搬送する。この態様によれば、疑券を再流通させないようにできる。
【００１０】
本発明の第１の態様に係る紙葉類取扱装置において、利用者からの返金指示を検知しても、前記搬送手段は第３の収納庫に収納された疑券については前記入出金口に搬送せずに前記リジェクト庫に搬送する。この態様によれば、疑券を再流通させないようにできる。
【００１１】
本発明の第１の態様に係る紙葉類取扱装置において、さらに、前記金庫内に、疑券を収納する第５の収納庫を備え、利用者からの入金指示を検知した場合に、前記搬送手段は第３の収納庫内の疑券を前記第５の収納庫に搬送する。この態様によれば疑券は金庫内に搬送されるので、防犯性が高まる。また、疑券は偽券と分離されるので、鑑定の困難な疑券の鑑定に注力することにより、全体として鑑定の労力を低減できる。
【００１２】
本発明の第１の態様に係る紙葉類取扱装置において、利用者からの返金指示を検知しても、前記搬送手段は前記第３の収納庫に収納された疑券について前記入出金口に搬送せずに前記第５の収納庫に搬送する。この態様によれば疑券は金庫内に搬送されるので、防犯性が高まる。また、疑券は偽券と分離されるので、鑑定の困難な疑券の鑑定に注力することにより、全体として鑑定の労力を低減できる。
【００１３】
本発明の第１の態様に係る紙葉類取扱装置において、さらに、前記金庫内に、前記第２の収納庫に収納された偽券を収納する偽券収納庫を備える。この態様によれば偽券は金庫内に搬送されるので、防犯性が高まる。
【００１４】
本発明の第１の態様に係る紙葉類取扱装置において、前記第２の収納庫または前記第３の収納庫のうち少なくとも一方は、前記紙葉類取扱装置から取り外し可能に前記紙葉類取扱装置に取り付けられている。この態様によれば、疑券あるいは偽券が発生した場合に迅速な対応をすることができる。
【００１５】
本発明の第２の態様は、紙葉類取扱装置の制御方法であって、入出金口に投入された紙葉類を判別し、前記紙葉類が真券の場合には、第１の収納庫に一時収納し、前記紙葉類が偽券の場合には、前記第１の収納庫とは異なる第２の収納庫に収納し、前記紙葉類が真券か偽券か疑わしい疑券の場合には、前記第１の収納庫及び前記第２の収納庫とは異なる第３の収納庫に搬送し、返金指示を受けた場合には、前記第１の収納庫に収納された真券および前記第３の収納庫に収納された疑券を前記入出金口に搬送する。この態様によれば、疑券についての取り扱いを多様化できる。その結果、入金されない疑券を返すことが可能となり、収納庫の容量不足の解消、疑券についての真偽判別についての労力軽減を図ることができる。
【発明を実施するための最良の形態】
【００１６】
１．第１の実施例
（１）現金自動預け払い機の構成
図１及び図２を用いて第１の実施例に係る現金自動預け払い機（以下「ＡＴＭ」という。）の構成について説明する。図１は、第１の実施例に係るＡＴＭの外観を模式的に示す説明図である。図２は、第１の実施例に係るＡＴＭのブロック構成を模式的に示す説明図である。ＡＴＭ１０は、本体制御部１００、カード・明細書処理部１１０、顧客操作部１２０、記憶部１３０、係員操作部１４０、外部インターフェース１５０、および紙幣取扱部２００を備える。
【００１７】
本体制御部１００は、例えば、カード・明細書処理部１１０と顧客操作部１２０と記憶部１３０と係員操作部１４０と外部インターフェース１５０と紙幣取扱部２００の動作を制御する。カード・明細書処理部１１０は、リーダライタ１１２と印字部１１４とを備える。リーダライタ１１２は、カードの読み取りあるいはカードへの書き込みを行う。印字部１１４は取引明細書の印字あるいは通帳への印字を行う。
【００１８】
顧客操作部１２０は、顧客により操作された入金あるいは出金の指示を検知する。検知された入金あるいは出金の指示は、顧客操作部１２０から本体制御部１００に伝えられる。なお、顧客操作部１２０として、例えば、表示機能を備えるタッチパネルが使われ、顧客からの指示を検知するとともに、ＡＴＭ１０から顧客へのメッセージを表示する。記憶部１３０は、本体制御部１００が処理しているデータ、紙幣取扱部２００で紙幣の真偽及び額面を判別する際に利用される紙幣のテンプレートを記憶する。係員操作部１４０は、金融機関の係員からの操作内容を検知する。外部インターフェース１５０は、ＡＴＭ１０をネットワーク４００に接続する。ＡＴＭ１０はネットワーク４００を介してホストコンピュータ（図示せず）に接続される。
【００１９】
紙幣取扱部２００は、ＡＴＭ１０に入金された紙幣の鑑別を行い、鑑別結果を本体制御部１００に伝えるとともに、紙幣を分類して内部の収納庫に収納する。紙幣取扱部２００は、本体制御部１００からの指示を受け、内部の収納庫から紙幣を取り出して出金する。
【００２０】
紙幣取扱部２００の構成について説明する。図３は、紙幣取扱部２００の構成を模式的に示す説明図である。紙幣取扱部２００は、制御部２１０、紙幣入出金口２２０、紙幣判別部２３０、偽券収納庫２４０、疑券収納庫２５０、真券収納庫２６０、搬送路２７０（２７０ａ〜２７０ｈ等）、紙幣振り分けゲート２７２（２７２ａ〜２７２ｅ等）、および金庫３００を備える。なお、搬送路２７０には、双方向通行の搬送路２７０ｂ、２７０ｃ、２７０ｄ、２７０ｅと一方通行の搬送路２７０ａ、２７０ｆ、２７０ｇ、２７０ｈの２種類がある。
【００２１】
制御部２１０は、紙幣入出金口２２０、紙幣判別部２３０、偽券収納庫２４０、疑券収納庫２５０、真券収納庫２６０、搬送路２７０、および紙幣振り分けゲート２７２の動作を制御する。紙幣入出金口２２０には、ＡＴＭ１０に入金される紙幣が投入され、あるいは、ＡＴＭ１０からの紙幣が出金される。紙幣入出金口２２０は、扉２２０ａと紙幣の存否を検知するためのセンサ２２０ｂを備える。
【００２２】
紙幣判別部２３０は、ＡＴＭ１０に入金される紙幣あるいはＡＴＭ１０から出金される紙幣の真偽および額面を判別する。ＡＴＭ１０に投入される紙葉類は、紙幣判別部２３０により以下の４つのカテゴリーに分類される。
【００２３】
（ａ）カテゴリー１：紙幣として認識されないもの。例えば、紙幣の間に挟まったまま紙幣入出金口２２０に投入されたレシート、折れ曲がった紙幣、破れた紙幣などが該当する。第１の実施例では、紙幣として認識されるか否かは、例えば、紙の大きさにより判別される。
（ｂ）カテゴリー２：偽券。紙幣には、いくつかのセキュリティ特徴が設けられている。セキュリティ特徴とは、偽券防止のために設けられている技術的な特徴をいう。例えば、透かし、ホログラム、マイクロ文字、特殊インキがセキュリティ特徴として用いられている。第１の実施例では、いずれかのセキュリティ特徴を欠いているものを偽券と判別している。
（ｃ）カテゴリー３：疑券。疑券とは、偽券か真券か疑わしい券である。第１の実施例では、全てのセキュリティ特徴を備えているが、いずれかの特徴量が規定値外のものを疑券と判別している。例えば、非常に高度な偽券、流通による損傷の結果、いずれかの特徴量が規定値外になった真券などが、疑券に該当する。
（ｄ）カテゴリー４：真券。第１の実施例では、全てのセキュリティ特徴を備えており、かつ、全特徴量が規定値内のものを真券と判別している。
【００２４】
偽券収納庫２４０はカテゴリー２に分類された紙幣を収納する。疑券収納庫２５０はカテゴリー３に分類された紙幣を収納する。真券収納庫２６０はカテゴリー４に分類された紙幣を収納する。なお、カテゴリー１に分類されたものは、いずれの収納庫にも収納されず、紙幣入出金口２２０に搬送されて顧客に返される。
【００２５】
本実施例においては偽券収納庫２４０、疑券収納庫２５０、および真券収納庫２６０は、紙幣を一時的に収納する一時収納庫となっている。疑券収納庫２５０を一時収納庫とすることにより、疑券については、顧客に返金するか、顧客に返金せずに収容するか、その後の疑券の取り扱いに多様性を持たせることが可能となる。なお、真券収納庫２６０を一時収納庫とするのは、真券収納庫２６０に収納された時点では、その後に入金されるか、返金されるか確定していないからである。
【００２６】
金庫３００は、紙幣取扱部２００の下部に配置され、外部を例えば金属で囲まれた収納庫である。金庫３００は内部に金庫内偽券収納庫３４０と金庫内疑券収納庫３５０とリサイクル庫３６０とリジェクト庫３７０を備える。
【００２７】
金庫内偽券収納庫３４０は偽券収納庫２４０に収納された紙幣を収納する。金庫内疑券収納庫３５０は疑券収納庫２５０に収納された紙幣を収納する。リサイクル庫３６０は、真券収納庫２６０に収納された紙幣のうち、再利用される紙幣を収納する。リジェクト庫３７０は、真券収納庫２６０に収納された紙幣のうち、再利用されない紙幣を収納する。再利用される紙幣とは、真券のうち損傷が少なく再利用が可能な紙幣である。ただし、損傷が少ない紙幣であっても、紙幣の額面によっては出金用の紙幣として用いられない場合がある。再利用されない紙幣とは、真券のうち再利用される紙幣以外の紙幣である。
【００２８】
ＡＴＭ１０は、金庫３００内にリサイクル庫３６０およびリジェクト庫３７０に加えて、金庫内偽券収納庫３４０および金庫内疑券収納庫３５０を備えることにより、疑券および偽券について、例えば、盗難による証拠隠滅を抑制し防犯性を高めることができる。さらに、金庫３００外の一時収納庫に疑券や偽券とはいえ大量の紙幣を収納することは防犯面から好ましくないが、本実施例では、ＡＴＭ１０は、金庫３００内に金庫内偽券収納庫３４０、金庫内疑券収納庫３５０を備えるので、大量の偽券及び疑券を収納することができる。また、ＡＴＭ１０は、金庫内偽券収納庫３４０と金庫内疑券収納庫３５０とを別個に備えることにより、疑券と偽券とを分離して取り扱うことが可能となる。その結果、例えば、鑑定が容易な偽券の鑑定については機械に任せ、人は鑑定が困難な疑券の鑑定に注力することにより、全体として鑑定についての人の労力を削減することが可能となる。
【００２９】
リサイクル庫３６０は、紙幣の額面ごとに分けられた複数のリサイクル庫３６２〜３６８を備える。なお、同じ額面の紙幣を収納するリサイクル庫を２以上備えていてもよい。
【００３０】
搬送路２７０は、紙幣入出金口２２０、紙幣判別部２３０、偽券収納庫２４０、疑券収納庫２５０、真券収納庫２６０、金庫３００内の金庫内偽券収納庫３４０、金庫内疑券収納庫３５０、金庫３００内のリサイクル庫３６２〜３６８、および金庫３００内のリジェクト庫３７０の間で紙幣を搬送する。紙幣振り分けゲート２７２は、搬送路２７０上の分岐点に設けられ、３方向のうち一方の搬送路２７０から搬送されてきた紙幣の残る２方向搬送路２７０のうち、一方の搬送路２７０に振り分ける。
【００３１】
なお、図３において、紙幣判別部２３０の左側で搬送路２７０ｄは上方に立ち上がり、右に折れて紙幣判別部２３０の上を通り、振り分けゲート２７２ｃ、搬送路２７２ｅを通って真券収納庫２６０付近の紙幣振り分けゲート２７２ｄに接続されている。そのため、紙幣判別部２３０の上の搬送路２７０ｄを判別処理のための時間を稼ぐため搬送路としても利用でき、搬送路２７０ｄの効率的な実装が可能となっている。また、この部分の搬送路２７０ｄを例えば搬送ベルトにより構成すれば、高さ方向の実装スペースを小さくできる。また、本実施例では、紙幣入出金口２２０、紙幣判別部２３０、真券収納庫２６０が、ほぼ水平に位置するように配置されているため、紙幣取扱部２００の上部の高さを小さくし、金庫３００の高さを高くすることが可能である。そのため、金庫内の収納庫に収納可能な紙幣の枚数を多くできる。
【００３２】
（２）ＡＴＭの動作
（ａ）全体の動作
図４及び図５を用いて、ＡＴＭ１０の動作について説明する。図４は、ＡＴＭ１０に紙幣が投入されてから各収納庫に分類されるまでの動作を説明するフローチャートである。図５は、各収納庫に分類された後の動作を説明するフローチャートである。
【００３３】
ＡＴＭ１０の本体制御部１００は顧客操作部１２０に表示されている入金ボタンが選択されたことを検知すると（ステップＳ１００）、紙幣取扱部２００の制御部２１０を介して紙幣入出金口２２０の扉２２０ａを開口させる（ステップＳ１０５）。
【００３４】
本体制御部１００は顧客操作部１２０に表示されている計算ボタンが選択されたことを検知すると（ステップＳ１１０）、制御部２１０を介して紙幣入出金口２２０の扉２２０ａを閉じさせる（ステップＳ１１５）。
【００３５】
制御部２１０は、搬送路２７０と紙幣振り分けゲート２７２を制御して、紙幣入出金口に投入された紙幣を１枚ずつ紙幣判別部２３０に搬送し（ステップＳ１２０）、紙幣の真偽及び額面を判別させる。
【００３６】
紙幣判別部２３０は、判別結果を制御部２１０に送る。判別の結果、カテゴリー１の紙幣だった場合には（ステップＳ１２５、Ｙｅｓ）、制御部２１０は、搬送路２７０と紙幣振り分けゲート２７２を制御して、カテゴリー１に判別された紙幣を紙幣入出金口２２０に搬送させる（ステップＳ１３０）。
【００３７】
判別の結果、カテゴリー１の紙幣ではなく（ステップＳ１２５、Ｎｏ）、カテゴリー２の紙幣だった場合には（ステップＳ１３５、Ｙｅｓ）、制御部２１０は、搬送路２７０と紙幣振り分けゲート２７２を制御して、カテゴリー２に判別された紙幣を偽券収納庫２４０に搬送させる（ステップＳ１４０）。
【００３８】
判別の結果、カテゴリー１の紙幣およびカテゴリー２の紙幣ではなく（ステップＳ１３５、Ｎｏ）、カテゴリー４の紙幣だった場合には（ステップＳ１４５、Ｙｅｓ）、制御部２１０は、搬送路２７０と紙幣振り分けゲート２７２を制御して、カテゴリー４に判別された紙幣を真券収納庫２６０に搬送させる（ステップＳ１５０）。
【００３９】
カテゴリー１、２、４の紙幣のいずれにも該当しなかった場合には（ステップＳ１４５、Ｎｏ）、紙幣はカテゴリー３に分類される。制御部２１０は、搬送路２７０と紙幣振り分けゲート２７２を制御して、カテゴリー３に判別された紙幣を疑券収納庫２５０に搬送させる（ステップＳ１５５）。
【００４０】
制御部２１０は紙幣判別部２３０に読み取らせた紙幣の金額を本体制御部１００に送信する。このとき、金額はカテゴリー別に分けて送信される。本体制御部１００は、紙幣の金額を受信すると、その内容を顧客操作部１２０に表示させ（ステップＳ２００）、顧客からの指示を待機する。このとき本体制御部１００は、カテゴリー別に紙幣の金額を表示させてもよい。
【００４１】
本体制御部１００は顧客操作部１２０に表示されている入金実行返金ボタンが選択されたことを検知すると（ステップＳ２０５、Ｙｅｓ）、入金処理サブルーチン実行する（ステップＳ２１０）。本体制御部１００は顧客操作部１２０に表示されている返金ボタンが選択されたことを検知すると（ステップＳ２１５、Ｙｅｓ）、返金処理サブルーチン実行する（ステップＳ２２０）。
【００４２】
（ｂ）入金処理サブルーチンの動作
図６は、第１の実施例における入金処理サブルーチンの動作を説明するフローチャートである。偽券収納庫２４０に収納されているカテゴリー２の紙幣の場合には（ステップＳ３００、Ｙｅｓ）、制御部２１０は、搬送路２７０と紙幣振り分けゲート２７２を制御して、カテゴリー２の紙幣を金庫内偽券収納庫３４０に搬送させる（ステップＳ３０５）。
【００４３】
紙幣がカテゴリー２の紙幣でなく（ステップＳ３００、Ｎｏ）、真券収納庫２６０に収納されているカテゴリー４の紙幣の場合には（ステップＳ３１０、Ｙｅｓ）、制御部２１０は、搬送路２７０と紙幣振り分けゲート２７２を制御して、カテゴリー２の紙幣を紙幣判別部２３０に搬送させ（ステップＳ３１５）、紙幣判別部２３０に紙幣の額面を判断させるとともに紙幣がリサイクル可能か否かを判断させる。リサイクル可能でない場合には（ステップＳ３２０、Ｎｏ）制御部２１０は、カテゴリー２の紙幣をリジェクト庫３７０に搬送させる（ステップＳ３２５）。リサイクル可能な場合には（ステップＳ３２０、Ｙｅｓ）制御部２１０は、カテゴリー２の紙幣をリサイクル庫３６０に搬送させる（ステップＳ３３０）。なお、カテゴリー２の紙幣は額面に応じてリサイクル庫３６２からリサイクル庫３６８のいずれかのリサイクル庫に搬送される。
【００４４】
紙幣が、カテゴリー４の紙幣でなく（ステップＳ３１０、Ｎｏ）、疑券収納庫２５０に収納されているカテゴリー３の紙幣の場合には（ステップＳ３１０、Ｎｏ）、制御部２１０は、搬送路２７０と紙幣振り分けゲート２７２を制御して、カテゴリー３の紙幣をリジェクト庫３７０に搬送させる（ステップＳ３３５）。確実に真券と言えない紙幣を再利用するのは好ましくないからである。
【００４５】
（ｃ）返金処理サブルーチンの動作
図７は、第１の実施例における返金処理サブルーチンの動作を説明するフローチャートである。偽券収納庫２４０に収納されているカテゴリー２の紙幣の場合には（ステップＳ４００、Ｙｅｓ）、制御部２１０は、搬送路２７０と紙幣振り分けゲート２７２を制御して、カテゴリー２の紙幣を金庫内偽券収納庫３４０に搬送させる（ステップＳ４０５）。偽券を返金すると偽券が流通することになり、好ましくないからである。
【００４６】
紙幣がカテゴリー２の紙幣ではなく、疑券収納庫２５０に収納されているカテゴリー３の紙幣、又は真券収納庫２６０に収納されているカテゴリー４の紙幣の場合には（ステップＳ４００、Ｎｏ）、制御部２１０は、搬送路２７０と紙幣振り分けゲート２７２を制御して、カテゴリー３の紙幣、及びカテゴリー４の紙幣を紙幣入出金口２２０に搬送する（ステップＳ４１５）。例えば、紙幣は、搬送路２７０ｄ、２７０ｃを経由し、振り分けゲート２７２ｂにより搬送路２７０ｇの方に振り分けられ、紙幣入出金口２２０に搬送される。制御部２１０は、紙幣入出金口２２０の扉２２０ａを開けさせる（ステップＳ４２０）。制御部２１０は、センサ２２０ｂからの信号により紙幣が取り出されたことを検知すると（ステップＳ４２５、Ｙｅｓ）、紙幣入出金口２２０の扉２２０ａを閉じさせる（ステップＳ４３０）。
【００４７】
以上、第１の実施例によれば、入金されない疑券を返すことが可能となり、疑券についての取り扱いの多様化が可能となり、収納庫の容量不足の解消、疑券についての真偽判別についての人の労力軽減を図ることができる。
【００４８】
第１の実施例によれば、疑券が入金される場合には、リジェクト庫３７０に搬送されるので、再利用されることがない。したがって、疑券が再流通することを抑制できる。
【００４９】
第１の実施例によれば、入金された真券は金庫３００内のリサイクル庫又はリジェクト庫３７０に、疑券は金庫３００内のリジェクト庫３７０に、偽券は金庫３００内の金庫内偽券収納庫３４０にそれぞれ搬送されるので、証拠隠滅を抑制し、防犯性を高めることができる。
【００５０】
２．第２の実施例
（１）ＡＴＭの構成
第２の実施例について説明する。第２の実施例は、疑券を顧客に返さない場合の実施例である。第２の実施例の構成は第１の実施例の構成とほぼ同じであるので、同一の符号を付して、説明を省略する。
【００５１】
（２）ＡＴＭの動作
第２の実施例において、ＡＴＭに投入された紙幣が偽券収納庫２４０、疑券収納庫２５０、真券収納庫２６０に収納されるまでの動作は、第１の実施例の動作と同じなので説明を省略する。以下、第１の実施例と異なる動作について説明する。
【００５２】
（ａ）入金処理サブルーチンの動作
図８は、第２の実施例における入金処理サブルーチンの動作を説明するフローチャートである。疑券収納庫２５０に収納されているカテゴリー２の紙幣の場合、又は真券収納庫２６０に収納されているカテゴリー４の紙幣の場合は、第１の実施例の場合と同じなので、同じステップ番号を付し、説明を省略する。
【００５３】
疑券収納庫２５０に収納されているカテゴリー３の紙幣の場合には（ステップＳ３１０、Ｎｏ）、制御部２１０は、搬送路２７０と紙幣振り分けゲート２７２を制御して、カテゴリー３の紙幣を金庫内疑券収納庫３５０に搬送させる（ステップＳ３４０）。詳細な鑑定を行うためである。本体制御部１００は、カード・明細書処理部１１０に預かり証を発行させる（ステップＳ３４５）。その後の詳細な鑑定により真券と鑑定される場合があるからである。その後の詳細な鑑定により真券と鑑定された場合には、預かり証の発行日に遡って入金されたものとされる。
【００５４】
（ｂ）返金処理サブルーチンの動作
図９は、第２の実施例における返金処理サブルーチンの動作を説明するフローチャートである。偽券収納庫２４０に収納されているカテゴリー２の紙幣の場合、および真券収納庫２６０に収納されているカテゴリー４の紙幣の場合は、第１の実施例の場合と同じなので同じステップ番号を付して説明を省略する。
【００５５】
紙幣がカテゴリー２またはカテゴリー４の紙幣ではなく、疑券収納庫２５０に収納されているカテゴリー３の紙幣の場合（ステップＳ４１０、Ｎｏ）、制御部２１０は、搬送路２７０と紙幣振り分けゲート２７２を制御して、カテゴリー３の紙幣を金庫内疑券収納庫３５０に搬送させる（ステップＳ４３５）。詳細な鑑定を行うためである。本体制御部１００は、カード・明細書処理部１１０に預かり証を発行させる（ステップＳ４４０）。その後の詳細な鑑定により真券と鑑定される場合があるからである。その後の詳細な鑑定により真券と鑑定された場合には、預かり証の発行日に遡って入金されたものとされる。
【００５６】
以上、第２の実施例によれば、疑券は金庫内疑券収納庫３５０に搬送され、返金されないので、疑券の流通を抑制できる。
【００５７】
第２の実施例によれば、入金された真券、偽券、疑券はそれぞれ、金庫３００内のリサイクル庫３６０又はリジェクト庫３７０、金庫内偽券収納庫３４０、金庫内疑券収納庫３５０に搬送されるので、証拠隠滅を抑制し、防犯性を高めることができる。
【００５８】
第２の実施例によれば、疑券と偽券は分離されるので、鑑定の容易な偽券の鑑定は機械に任せ、人が鑑定の困難な疑券の鑑定に注力することにより、全体として鑑定についての人の労力を低減することができる。
【００５９】
３．変形例：
（１）第１の実施例、第２の実施例では、ＡＴＭ１０を例にとり説明したが、金融機関の行員が使用するテラー機であってもよい。
【００６０】
（２）第１の実施例、第２の実施例では、特に説明していなかったが、偽券収納庫２４０及び疑券収納庫２５０は、取り外し可能にＡＴＭ１０に取り付けられていてもよい。偽券あるいは疑券は発生したときには、係員は直ちに偽券あるいは疑券をＡＴＭ１０あるいはテラー機から取り出して鑑定することができる。
【００６１】
（３）第１の実施例において、入金処理サブルーチンの動作では、カテゴリー３の紙幣を、リジェクト庫３７０に搬送しているが、金庫内疑券収納庫３５０に搬送してもよい。鑑定により偽券とされる可能性がゼロではないからである。なお、状況によっては、リサイクル庫３６０に搬送することも可能である。
【００６２】
（４）第１の実施例、第２の実施例は、異なるＡＴＭであるとして説明したが、例えば、ＡＴＭに動作切り替えスイッチ１４２を備え、同一のＡＴＭで、疑券を顧客に返すか、疑券を顧客に返さないか動作を切り替えるように構成してもよい。また、疑券を顧客に返すか返さないかどちらの動作をするか切り替えるための動作切り替えスイッチ１４２の代わりに例えばホストコンピュータ（図示せず）からの命令を受けて疑券を顧客に返すか返さないかどちらの動作をするか切り替えるようにしてもよい。これにより、疑券についての取り扱いを多様化できる。
【００６３】
（５）また、疑券を顧客に返すか返さないかを、利用状況、紙幣判別結果、あるいは、流通の環境により切り替えるようにしてもよい。例えば、通常は疑券を顧客に返すように運用し、所定の条件を満たした場合には、疑券を返さないように切り替えるようにしてもよい。例えば、（ａ）過去において偽券を使用した前歴がある顧客が利用した場合、（ｂ）顧客を特定できないとき、（ｃ）入金された紙幣について、疑券の割合が高い場合あるいは疑券の枚数が多い場合、（ｄ）市場において高度な偽券が発見された場合、などの場合には、疑券を返さないように動作を切り替えるようにしてもよい。
【００６４】
例えば、ホストコンピュータ（図示せず）に偽券使用の前歴が登録されるように構成し、ＡＴＭ１０は、取引のたびに、ホストコンピュータに偽券使用の前歴を問い合わせる事により偽券使用の前歴の有無を判断できる。顧客を特定できない場合とは、例えば、匿名による現金振り込みなどの場合である。また、本実施例では、制御部２１０は、紙幣の判別を行うごとにその結果を本体制御部１００に送っているので、本体制御部１００はその数を数えることにより、疑券の割合、枚数を求めることができる。疑券の割合が高いことあるいは疑券の枚数が多いことを検知した場合には、本体制御部１００は疑券を返さないようにＡＴＭ１０の動作を切り替える。また、市場において高度な偽券が発見された場合とは、例えば、他の金融機関等で高度な偽券が発見されたような場合である。この場合には、本体制御部１００は、例えば、ホストコンピュータからの命令により、疑券を返さないようにＡＴＭ１０の動作を切り替える。すなわち、利用状況、紙幣判別結果、流通の環境により臨機応変に疑券を返すか返さないかを切り替えるように構成してもよい。これにより、上記に示すような異常事態が発生した場合にのみ疑券を鑑定するので、鑑定の労力を低減できる。
【００６５】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００６６】
【図１】第１の実施例に係るＡＴＭの外観を模式的に示す説明図である。
【図２】第１の実施例に係るＡＴＭのブロック構成を模式的に示す説明図である。
【図３】紙幣取扱部２００の構成を模式的に示す説明図である。
【図４】ＡＴＭ１０に紙幣が投入されてから各収納庫に分類されるまでの動作を説明するフローチャートである。
【図５】各収納庫に分類された後の動作を説明するフローチャートである。
【図６】第１の実施例における入金処理サブルーチンの動作を説明するフローチャートである。
【図７】第１の実施例における返金処理サブルーチンの動作を説明するフローチャートである。
【図８】第２の実施例における入金処理サブルーチンの動作を説明するフローチャートである。
【図９】第２の実施例における返金処理サブルーチンの動作を説明するフローチャートである。
【符号の説明】
【００６７】
１００…本体制御部
１１０…明細書処理部
１１２…リーダライタ
１１４…印字部
１２０…顧客操作部
１３０…記憶部
１４０…係員操作部
１４２…動作切り替えスイッチ
１５０…外部インターフェース
２００…紙幣取扱部
２１０…制御部
２２０…紙幣入出金口
２２０ａ…扉
２２０ｂ…センサ
２３０…紙幣判別部
２４０…偽券収納庫
２５０…疑券収納庫
２６０…真券収納庫
２７０…搬送路
２７２…紙幣振り分けゲート
３００…金庫
３４０…金庫内偽券収納庫
３５０…金庫内疑券収納庫
３６０…リサイクル庫
３６２…リサイクル庫
３６８…リサイクル庫
３７０…リサイクル庫
３７０…リジェクト庫
４００…ネットワーク
【図１】
2008299389.tif 000003
【図２】
2008299389.tif 000004
【図３】
2008299389.tif 000005
【図４】
2008299389.tif 000006
【図５】
2008299389.tif 000007
【図６】
2008299389.tif 000008
【図７】
2008299389.tif 000009
【図８】
2008299389.tif 000010
【図９】
2008299389.tif 000011